(57)【特許請求の範囲】
【請求項１】
円筒形の上部筐体、および、前記上部筐体よりも大径の円筒形の下部筐体からなり、前記上部筐体の上面にスピーカユニットが設けられた筐体と、
前記上部筐体の上方および側面を、それぞれ前記上部筐体から所定の間隔をあけて覆い、その下端で前記下部筐体に係合し、前記下部筐体と略同径の円筒形で音および光を通過させる網状または多孔状に形成されたカバーと、
前記カバー内の前記上部筐体の側面に開口するバスレフダクトと、
前記カバー内の前記スピーカユニットの周囲にリング状に、または、前記上部筐体の下端を周回する幅木状に設けられた発光部と、
を備えた卓上用のスピーカ装置。
【請求項２】
前記バスレフダクトは、前記筐体内で前記開口部から下向きに屈曲することを特徴とする請求項１に記載のスピーカ装置。
【請求項３】
前記カバーの上面内側に、略円錐形のディフューザを設けた請求項１または請求項２に記載のスピーカ装置。
【請求項４】
前記ディフューザが鏡面仕上げである請求項３に記載のスピーカ装置。
【請求項５】
前記上部筐体のカバーに覆われた側面の少なくとも一部が鏡面仕上げである請求項１乃至請求項４のいずれかに記載のスピーカ装置。
【発明の詳細な説明】
【技術分野】
【０００１】
この発明は、縦型のスピーカ装置に関する。
【背景技術】
【０００２】
一般的なスピーカ装置は、筐体（キャビネット）の前面にスピーカユニットが取り付けられ、この前面を覆うようにカバーまたはスピーカグリル（以下、カバーと総称する。）を有する。カバーは、スピーカのコーンの傷つきを防止するとともに、スピーカ装置の前面のデザイン性を向上させる機能も有する。
【先行技術文献】
【特許文献】
【０００３】
【特許文献１】特開２００９−１１８１８２号公報
【発明の概要】
【発明が解決しようとする課題】
【０００４】
一方、上向きにスピーカユニットを設けたの無指向性のスピーカ装置が提案されている（たとえば特許文献１）。このようなスピーカ装置において、スピーカユニットの前面にカバーを設けたのでは、傷つきの防止にはなるが、そのデザイン性を向上させることはできない。照明等を設けるスペースを確保することもできない。
【０００５】
そこで、この発明は、縦型のスピーカ装置において、機能およびデザイン性の両方に優れたカバー構造を提供することを目的とする。
【課題を解決するための手段】
【０００６】
本発明のスピーカ装置は、卓上用であって、筐体と、カバーと、バスレフダクトと、発光部とを有している。筐体は、円筒形の上部筐体、および、上部筐体よりも大径の円筒形の下部筐体からなり、上部筐体の上面にスピーカユニットが設けられている。カバーは、上部筐体の上方および側面を、それぞれ上部筐体から所定の間隔をあけて覆い、その下端で下部筐体に係合し、下部筐体と略同径の円筒形で音および光を通過させる網状または多孔状に形成されている。バスレフダクトは、カバー内の上部筐体の側面に開口している。発光部は、カバー内のスピーカユニットの周囲にリング状に、または、上部筐体の下端を周回する幅木状に設けられている。
【０００７】
上向きに設けられたスピーカは、音声を上向きに放音するが、カバー（およびディフューザ）により全方向に拡散して放音される。また、発光部から発散された光は、カバー内部で拡散され、カバーの側面（および上面）全体の網目または小孔が明るくなる。これにより、上向き（縦型）のスピーカ装置で横方から音声を鑑賞するとともに、装飾照明として用いることができ、テーブルなどに設置するのに好適となる。
【００１０】
また、カバーの上面内側に、略円錐形のディフューザを設けてもよい。ディフューザの表面は鏡面仕上げであってもよい。また、筐体のカバーに覆われた側面の少なくとも一部を鏡面仕上げにしてもよい。このようにすることにより、光の拡散性をより向上させることができ、照明をより装飾的にすることができる。
【発明の効果】
【００１１】
以上のように、この発明によれば、縦型で全方向に音声および光を伝達できデザイン的に優れたスピーカ装置を実現することができる。
【図面の簡単な説明】
【００１２】
【図１】この発明の実施形態であるスピーカ装置の正面図、内部構造図および底面図
【図２】スピーカ装置の斜視図
【図３】スピーカ装置の分解斜視図
【図４】暗所でＬＥＤを点灯させたスピーカ装置の外観を示す図
【図５】スピーカ装置の回路のブロック図
【発明を実施するための形態】
【００１３】
図面を参照してこの発明が適用されるスピーカおよびヘッドピースについて説明する。図１は、この発明の実施形態であるスピーカ装置１の正面図、内部構造図および底面図である。図２は、スピーカ装置１の斜視図である。また、図３は、スピーカ装置１の分解斜視図である。
【００１４】
この実施形態のスピーカ装置１は、縦向きの略筒状の筐体（ｈｏｕｓｉｎｇ）１０を有し、この筐体１０の上面および下面に配置された２つのスピーカユニット１０１、１０２を有する。上面に設置されたスピーカユニット１０１が高音用スピーカであり、以下ツイーター１０１と呼ぶ。下面に設置されたスピーカユニット１０２が低音用スピーカであり、以下ウーファ１０２と呼ぶ。
【００１５】
筐体１０は、上部筐体１１、下部筐体１２および後述のバッフル板１４、１５などで構成される。下部筐体１２は、太径の短い筒状である。上部筐体１１は、下部筐体１２よりも小径で、下端にフランジ１１Ｃを有している。このフランジ１１Ｃが下部筐体１２に係合し、ネジにより気密に接合される。上部筐体１１の内部に、仕切板１１Ａが設けられており、仕切板１１Ａが筐体１１の内部空間を上下に分割する。
【００１６】
上部筐体１１の上面にはツイーター用バッフル板１４が上向きに取り付けられている。このツイーター用バッフル板１４にツイーター１０１が上向きに取り付けられている。ツイーター用バッフル板１４および仕切板１１Ａで区切られた上部筐体１１の上側の空間でツイーター用キャビネット１１１が構成される。また、下部筐体１２の下面にはウーファ用バッフル板１５が下向きに取り付けられている。このウーファ用バッフル板１５にウーファ１０２が下向きに取り付けられている。ウーファ用バッフル板１５および仕切板１１Ａで区切られた上部筐体１１の下側の空間および下部筐体１２でウーファ用キャビネット１１２が構成される。
【００１７】
上部筐体１１のウーファ用キャビネット１１２側の側面にはバスレフポート１６が開設されている。バスレフポート１６には、ウーファ用キャビネット１１２の内部に向けてバスレフダクト１７が接続されている。バスレフダクト１７は、ウーファ用キャビネット１１２内部で下向きに屈曲し、低い周波数に共振するための長さを得ている。
【００１８】
上部筐体１１は、上面および側面をカバー２０で覆われている。カバー２０は、パンチメッシュの金属製薄板からなる。パンチメッシュであるため、音や光は、カバー２０をほぼ通過するが、その一部は反射してカバー２０の内部で拡散する。カバー２０は、側面と上面を有し、伏せたタンブラー状の形状をしている。カバー２０の外径は、下部筐体１２とほぼ同じである。したがって、カバー２０が被せられたスピーカ装置１は、全体としてほぼ筒状の外観となっている。
【００１９】
カバー２０の上面内側にディフューザ２２が設けられている。ディフューザ２２は、下向きの略円錐形をしており、ツイーター１０１から放音された高音の音声を全方向に反射させる。また、ディフューザ２２は、樹脂製で表面はホットスタンプ箔による蒸着メッキ鏡面仕上げが施されている。これにより、音声のみならず光も全方向に反射する。
【００２０】
ウーファ用バッフル板１５は、下方向に所定高さのポール状に突設された３本のビス穴１５Ａを有している。このビス穴１５Ａに平頭ビス３０がディフューザ２３の裏面から螺合する。ビス３０およびビス穴１５Ａの高さにより、ディフューザ２３がウーファ１０２から所定の距離だけ離され設けられる。ディフューザ２３は、上向きの略円錐形をしており、ウーファ１０２から放音された中低音を全方向に反射若しくは回折させる。
【００２１】
スピーカ装置１は、図１に示すように、ディフューザ２３をベースとして縦向きに設置される。すなわち、ディフューザ２３は、スピーカ装置１のベースを兼ねている。このため、その底面にリング状にクッション材３１が貼付されている。これより、脚を別途設ける必要がなく構造を簡略化でき、設置面積を小さくすることもできる。
【００２２】
ディフューザ２３の外周とウーファ用バッフル板１５の外周との間に、カバー３２が設けられている。カバー３２は、パンチメッシュの金属製薄板からなっており、ウーファ１０２から放音された音声を通過させるが、スピーカ装置１が、テーブル等に設置されたとき、ユーザの指や異物が侵入するのを防止している。
【００２３】
下部筐体１２の側面には操作パネル４０が設けられている。操作パネル４０には、このスピーカ装置１の電源をオン／オフする電源スイッチなどのスイッチ群４１、外部電源を接続するためのＤＣジャック４２、アナログオーディオ信号を入力するオーディオジャック４３等が設けられている。
【００２４】
操作パネル４０は樹脂製であるが、下部筐体１２の操作パネル４０以外の外周側面は合成皮革で外装されている。また、上部筐体１１は、樹脂製で外周側面はホットスタンプ箔による鏡面仕上げ、または蒸着メッキによる鏡面仕上げが施されている。
【００２５】
ツイーター用バッフル板１４上に乳白樹脂からなる拡散リング２７が設けられている。拡散リング２７は、ツイーター１０１に被らないようにツイーター用バッフル板１４を覆うようにリング状に形成されている。拡散リング２６の下方、ツイーター用バッフル板１４の周縁部に導光リング２６および発光ダイオード（以下、ＬＥＤと呼ぶ）２５が設けられている。ＬＥＤ２５は、バッフル板１４の周縁部２箇所に上向きに設けられている。導光リング２６は、ＬＥＤ２５の上方に被せるように設けられており、点発光のＬＥＤ２５の光をリング全周に伝搬させ面発光の効果を得ている。導光リング２６のＬＥＤ２５に対向する位置には、ＬＥＤ２５の光を導入するための突出部（不図示）が形成されている。ＬＥＤ２５が点灯すると、突出部を介して導光リング２６に光が導入され、導光リング２６全周に光が伝搬して明るくなる。導光リング２６のこの光は拡散リング２７にも到達し、拡散リング２７全体が発光しているように明るくなる。また、ディフューザ２２がカバー２０の上面に設けられているため、光が直接上に抜けず、天井を照らしてしまうようなことがない。
【００２６】
また、上部筐体１１の外周下端部にはフランジ１１Ｃに接するように腰巻き状の導光リング２９が設けられている。下部筐体１２の上端周縁部の２箇所にＬＥＤ２８が設けられている。フランジ１１ＣのＬＥＤ２８に対向する位置には小孔が開設され、ＬＥＤ２８の光が導光リング２９に導入されるようになっている。ＬＥＤ２８が点灯すると、小孔を介して導光リング２９に光が導入され、導光リング２９全体が発光しているように明るくなる。
【００２７】
図４は、ＬＥＤ２５および２８を点灯させたときのカバー２０の外観を示す図である。この図は、スピーカ装置１を暗所に設置してＬＥＤ２５，２８を点灯させたときの外観を示している。拡散リング２６および導光リング２９のところが明るくひかり、カバー２０の裏面と上部筐体１１の側面による反射でカバー２０内部が全体に薄明るくなっている様子がカバー２０を透過して観察できる。また、ツイーター用のディフューザ２２も拡散リング２７の光を全周に反射している。これにより、このスピーカ装置１は、２ウェイのテーブル用スピーカとして機能するのみならず、テーブルの照明および装飾としても機能する。
【００２８】
図５は、スピーカ装置１の電気回路のブロック図である。スピーカ装置１は、オーディオ信号を入力する回路として、Ｂｌｕｅｔｏｏｔｈ（登録商標）通信部５２、および、アナログ入力部５３を有している。アナログ入力部５３は、図１に示したオーディオジャック４３を含む。Ｂｌｕｅｔｏｏｔｈ（登録商標）通信部５２またはアナログ入力部５３から入力されたオーディオ信号は、信号処理部５１に入力される。信号処理部５１は、入力されたオーディオ信号に対してイコライズ等の処理を行うとともに、オーディオ信号を高音域成分および中低音域成分に分離する。分離された高音域成分の信号は増幅回路５４に入力される。中低音域成分の信号は増幅回路５５に入力される。増幅回路５４はツイーター１０１を駆動する増幅回路であり、高音域に適した調整がされている。また、増幅回路５５はウーファ１０２を駆動する増幅回路であり、中低音域に適した調整がされている。増幅回路５４は、増幅した高音域のオーディオ信号をツイーター１０１に入力する。ツイーター１０１はこの信号を音響として放音する。増幅回路５５は、増幅した中低音域のオーディオ信号をウーファ１０２に入力する。ウーファ１０２はこの信号を音響として放音する。
【００２９】
Ｂｌｕｅｔｏｏｔｈ通信部５２のペアリング動作、信号処理部５１のイコライズ動作、増幅回路５４，５５のゲインなどは制御部５０が制御する。制御部５０はマイコンで構成されている。制御部５０には、さらに操作部５６および点灯回路５７が接続されている。操作部５６は、操作パネル４０に設けられている各種スイッチ群４１を含み、ユーザによる電源のオン／オフ、ボリウム調整、オーディオ入力の選択等の操作を受け付ける。点灯回路５７は、ＬＥＤ２５，２８を点灯する回路である。制御部５０は、電源がオンされると、オーディオ回路に電源を供給するとともに、点灯回路５７にも電源を供給する。点灯回路５７は、ＬＥＤ２５，２８を点灯させる。なお、このスピーカ装置１は、図示しないバッテリを内蔵しており、このバッテリまたはＤＣジャック４２から供給される外部電源で動作する。
【００３０】
以上のように、本実施形態のスピーカ装置１は、縦型の２ウェイスピーカであるとともに、上部および下部に発光部を有し、上部筐体１１の上面から側面を覆うカバー２０を通して音響と光が拡散されるため、オーディオ機器と装飾品とを兼ね、たとえばテーブル用スピーカとして好適である。
【００３１】
なお、スピーカ装置１は、以上説明した形状に限定されない。本願発明の趣旨を損なわない範囲で変形は自由である。たとえば、カバー２０が、円筒形（タンブラーを伏せた形状）でなくてもよい。音と光を透過する部材で構成してあれば、下部筐体１１と嵌合するフランジ１１Ｃ、カバー２０を含め三角柱、四角柱、六角柱等の多角柱形状であってもよい。
【符号の説明】
【００３２】
１０  筐体
１１  上部筐体
１２  下部筐体
２０  カバー
２５，２８  発光ダイオード（ＬＥＤ）
２６，２９  導光リング
２７  拡散リング
１０１  ツイーター
１０２  ウーファ
【図１】
0006503651.tif 000002
【図２】
0006503651.tif 000003
【図３】
0006503651.tif 000004
【図４】
0006503651.tif 000005
【図５】
0006503651.tif 000006